(57)【要約】【課題】汚れの掻き出し性能及び洗浄液等の液体の保持性能に優れたハケを提供する。【解決手段】ハケ１０は、毛材を束ねてなるハケ部１１と、取っ手部１２とを有するものであって、前記ハケ部１１は、外周面の長手方向に凹部又は／及び凸部を螺旋状に形成した合成樹脂モノフィラメントからなる毛材を有するもので、螺旋状の凹部又は凸部が塗料を保持すると共に液分が滞留する事が無く、順次新しい液分が凹部又は凸部に保持される為、塗料の垂れ流しが防止できると共に、満遍なく、均一に塗料を塗布することが出来る。【選択図】      図１
2008104566.tif 000002
【特許請求の範囲】
【請求項１】
塗装等に使用されるハケにおいて、該ハケは、毛材を束ねてなるハケ部と、取っ手部とを有するものであって、前記ハケ部は、外周面の長手方向に凹部又は／及び凸部を螺旋状に形成した合成樹脂モノフィラメントからなる毛材を有することを特徴とするハケ。
【請求項２】
合成樹脂モノフィラメントからなる毛材は、螺旋状の凹部又は／及び凸部を連続的又は断続的に配してあることを特徴とする請求項１に記載のハケ。
【請求項３】
合成樹脂モノフィラメントからなる毛材は、凹部又は／及び凸部を、右捻りと、左捻りと真直ぐ方向の３方向の内、少なくとも二方向以上の組み合わせで配してあることを特徴とする請求項１又は請求項２に記載のハケ。
【請求項４】
合成樹脂モノフィラメントからなる毛材の太さを均一あるいは不均一としたことを特徴とする請求項１〜３のいずれか１項に記載のハケ。
【発明の詳細な説明】
【技術分野】
【０００１】
本発明は、合成樹脂モノフィラメントからなる毛材を有し、洗浄、清掃、液体の塗布等に用いられるハケに関するものである。
【背景技術】
【０００２】
従来のこの種のハケには様々なものがあり、ハケを構成する毛材を化学繊維の毛材とし、この毛材の先端部に行くに従い次第に先細りになるように形成し、且つ毛材の表面に、各毛材間の間隙液分が溜まり易いように細かな凹部を多数形成したものが知られている（特許文献１）。
【０００３】
【特許文献１】特許第２８７９４２４号
【発明の開示】
【発明が解決しようとする課題】
【０００４】
上記従来の特許文献１に記載された技術では、つや出し剤等の液分を細かな凹部にある程度保持することができるようになるものの、十分とは言えなかった。また、一度凹部に保持された液分は凹部の外部の液分と容易に交換される事が無く、液分が凹部に滞留するという課題があった。また、毛材が被洗浄面に付着した汚れを効率よく掻き出すには、毛材の摩擦力を向上させる必要があるという課題があった。
【０００５】
本発明は上記点に鑑み、汚れの掻き出し性能及び洗浄液等の液体の保持性能に優れたハケを提供することを目的とする。
【課題を解決するための手段】
【０００６】
請求項１の発明では、塗装等に使用されるハケにおいて、該ハケは、毛材を束ねてなるハケ部と、取っ手部とを有するものであって、前記ハケ部は、外周面の長手方向に凹部又は／及び凸部を螺旋状に形成した合成樹脂モノフィラメントからなる毛材を有することに特徴を有する。したがって、凹部や凸部が被洗浄面に接触することによって摩擦力がアップするので、汚れを効率よく掻き出すことが出来ると共に、洗浄液等の液体が、洗浄時に螺旋状の凹部や凸部で保持されるので、洗浄性能が向上する。また、塗装用のハケとして用いた場合、螺旋状の凹部又は凸部が塗料を保持すると共に液分が滞留する事が無く、順次新しい液分が凹部又は凸部に保持される為、塗料の垂れ流しが防止できると共に、満遍なく、均一に塗料を塗布することが出来る。
【０００７】
請求項２の発明では、請求項１の発明において、合成樹脂モノフィラメントからなる毛材は、螺旋状の凹部又は／及び凸部を連続的又は断続的に配してあることに特徴を有する。したがって、凹部又は凸部を連続的に配した場合は、液体を保持できる面が増加するので、液体の保持性能が向上し、洗浄性能、塗装性能が向上する。また、凹部又は凸部を断続的に配した場合は、凹部又は凸部によるエッジ部が増えるので、汚れをより効率よく掻き出すことが出来る。
【０００８】
請求項３の発明では、請求項１又は２の発明において、合成樹脂モノフィラメントからなる毛材は、凹部又は／及び凸部を、右捻りと、左捻りと真直ぐ方向の３方向の内、少なくとも二方向以上の組み合わせで配してあることに特徴を有する。したがって、凹部又は凸部のエッジ部が様々な箇所に存在するようになるので、このエッジ部が様々な角度から被洗浄面の汚れに接するようになり、洗浄性能が飛躍的に向上する。
【０００９】
請求項４の発明では、請求項１〜３のいずれかの発明において、合成樹脂モノフィラメントからなる毛材の太さを均一あるいは不均一としたことに特徴を有する。したがって、合成樹脂モノフィラメントの太さが均一の場合、ハケの腰が強くなるので、汚れの掻き出し性能が向上する。また、合成樹脂モノフィラメントの太さが不均一の場合は、合成樹脂モノフィラメントの表面積、即ち汚れとの接触面積が広がるので、汚れの除去性能が向上すると共に、洗浄液等の液体の保持性能が向上するので、洗浄性能も向上する。
【発明の効果】
【００１０】
請求項１の発明では、凹部や凸部によって、液体を保持することができると共に、汚れを掻き出すことができるので、洗浄性能が向上する。また、請求項２の発明では、凹部や凸部を連続的又は断続的に配することによって、液体の保持性能の向上や洗浄性能の更なる向上を図ることができる。また、請求項３の発明では、凹部や凸部のエッジ部によって、洗浄性能を飛躍的に向上させることができる。また、請求項４の発明では、毛材の太さを均一あるいは不均一とすることによって、洗浄性能を向上させることができる。
【発明を実施するための最良の形態】
【００１１】
次に、本発明の実施形態を図面に基づいて説明する。図１は本発明のハケの一例を示す正面図である。ハケ１０は、取っ手部１２と、ハケ部１１とが接合部１３によって連結されている。ハケ部１１は、合成樹脂モノフィラメントのブラシ用毛材からなるものであり、接合部１３に植設されている。このハケ１０は、洗浄、清掃、液体の塗布等に使用するものであり、本発明のハケ１０に使用されるブラシ用毛材は以下の特徴を有するものである。
【００１２】
図２（ａ）は、本発明の第１の実施形態におけるブラシ用毛材の斜視図を示すもので、ブラシ用毛材１は、全長に渡って太さが均一で、ポリエチレン、ポリプロピレン、ポリスチレン等のポリオレフィン系樹脂繊維、ポリエチレンテレフタレート、ポリブチレンテレフタレート、ポリトリメチレンテレフタレート等のポリエステル系樹脂繊維、ナイロン６、ナイロン６６、ナイロン６１０、ナイロン６１２等のポリアミド系樹脂繊維、アクリル繊維、フッ素繊維、ウレタン繊維、シリコン繊維などの合成樹脂モノフィラメントからなり、その表面の長手方向に、同図に示すように凹部２が螺旋状に且つ連続的に形成されている。
【００１３】
図２（ｂ）は、凹部２の代わりに、凸部３を、ブラシ用毛材１の外周面に、同じく螺旋状に連続して設けた例を示すものである。尚、本実施形態のブラシ用毛材１の製法としては、合成樹脂を加熱、溶融紡糸して、所定温度で、サンドペーパーなどの研磨紙（図示せず）を、繊維の外周面に当てて、凹部２又は凸部３を形成しながら、且つ捻りながら、その繊維を巻き取るようにすればよい。また、押出しと捻りを組み合わせた成型でも可能であり、さらにダイス形状を凹凸形状にしておけば、同時に凹部２、凸部３を形成することもできる。
【００１４】
また、ブラシ用毛材１を形成する合成樹脂モノフィラメントの外径は、０．０５ｍｍ以上であれば、自由に製造が可能である。さらに、螺旋状の凹部２、凸部３のそれぞれの捻り角は、合成樹脂モノフィラメントの長手方向に対して２０度以下であれば効率的に製造できる。また、凹部２の深さは、深いほど、洗浄液などの液体の保持性能が向上するが、深すぎると腰が著しく弱くなったり、合成樹脂モノフィラメントの製造時に、それが切断するなどの問題があるので、合成樹脂モノフィラメントの断面の長径に対して５０％以下に抑えるのが望ましい。
【００１５】
また、凸部３の高さは、高いほど洗浄液などの液体の保持性能が向上するが、高すぎると、多数のブラシ用毛材１でハケ部１１を形成したときに、隣り合う凸部３間で液体が保持され、ブラシ用毛材１からの液体の流出性が著しく悪くなるので、凸部３の高さを、合成樹脂モノフィラメントの断面の長径に対して５０％以下にするのが望ましい。
【００１６】
本実施形態におけるブラシ用毛材１は、以上のように構成されているので、それを洗浄用のハケ等に用いた場合、凹部２又は凸部３が、被洗浄面（図示せず）などに接触することにより摩擦力がアップするので、汚れを効率よく掻き出すことが出来ると共に、洗浄液などの液体が、洗浄時に螺旋状の凹部２又は凸部３で保持されるので、洗浄性能が大幅に向上する。また、螺旋状の凹部２又は凸部３は、螺旋形状にて液分が過度に凹部２又は凸部３に滞留することを防止できる為、順次新しい液分が保持できる。また、本実施形態におけるブラシ用毛材１を塗装用のハケに用いた場合、螺旋状の凹部２又は凸部３が塗料を保持するので、塗料の垂れ流しが防止できると共に、満遍なく、均一に塗料を塗布することができる。
【００１７】
また、本実施形態では、図２（ａ）、（ｂ）に示すように、凹部２、凸部３を連続的に配しているので、液体を保持できる面が増加し、それによって、液体の保持性能が向上し、洗浄性能、塗装性能を向上させることができる。また、本実施形態では、ブラシ用毛材１を形成する合成樹脂モノフィラメントの太さが略均一に形成されているので、毛腰が強くなり、汚れの掻き出し性能が向上する。尚、上記実施形態では、凹部２、凸部３を、それぞれ１条設けた例を示しているが、使用される洗浄液や塗料の粘性に応じて複数条設けても構わない。
【００１８】
また、本発明の第２実施形態である図３（ａ）、（ｂ）に示すように、螺旋状の凹部２、凸部３を、ブラシ用毛材１の外周面に断続的に設けるようにしても良い。この場合は、凹部２又は凸部３のエッジ部が増えるので、汚れをより効率的に掻き出すことができる。また、第２実施形態におけるブラシ用毛材１を塗装用のハケに用いた場合、エッジ部が保持された塗料の脱落を防止できる為、塗料の高い保持性能を有することができる。
【００１９】
また、第１実施形態及び第２実施形態において、ブラシ用毛材１の凹部２、凸部３を右捻りのみ、或いは左捻りのみにして形成することも可能である。以上のように、第１実施形態及び第２実施形態によれば、凹部２又は凸部３のエッジ部が様々な個所に存在するようになるので、そのエッジ部が、様々な角度から被洗浄面の汚れに接するようになり、洗浄性能が飛躍的に向上するものである。
【００２０】
図４は本発明の第３の実施形態におけるブラシ用毛材の斜視図を示すもので、凹部又は凸部を、右捻りと、左捻りと、真直ぐ方向の少なくとも二方向以上の組み合わせで配したもので、他の構成、材料は、上記第１の実施形態と同一なので、その説明を省略する。図４（ａ）は、ブラシ用毛材１の外周面に、左捻りの凹部２と右捻りの凹部２を連続して設けた例を示し、図４（ｂ）は、ブラシ用毛材１の外周面に、左捻りの凸部３と右捻りの凸部３を連続して設けた例を示し、図４（ｃ）は、左捻りの凹部２と直線状の凹部２ａと右捻りの凹部２を連続的に設けた例を示し、図４（ｄ）は、左捻りの凸部３と直線状の凸部３ａと右捻りの凸部３を連続的に設けた例を示している。
【００２１】
以上のように、第３実施形態によれば凹部２又は凸部３のエッジ部が様々な個所に存在するようになるので、そのエッジ部が、様々な角度から被洗浄面の汚れに接するようになり、洗浄性能が飛躍的に向上するものである。また、洗浄液、塗料等の液体がエッジ部にて保持される為、高い液体の保持性能を有することができる。
【００２２】
図５は、本発明の第４実施形態におけるブラシ用毛材の斜視図である。尚、上記実施形態と同一部分については、同一符号を付してその説明を省略する。本実施形態では、図５に示すように、ブラシ用毛材１を形成する合成樹脂モノフィラメントの太さを不均一にしたもので、これにより、ブラシ用毛材１の表面積、即ちブラシ用毛材１の表面と汚れとの接触面積が広がり、汚れの除去性能及び洗浄液、塗料等の液体の保持性能が向上するので、洗浄性能が向上する。
【００２３】
尚、上記第１〜４の実施形態では、ブラシ用毛材１を形成する合成樹脂モノフィラメントの１本の外周面に凹部２又は凸部３のいずれかを設けた例を示したが、特に、これに限定されるものではなく、１本の合成樹脂モノフィラメントの外周面に、凹部２と凸部３の両方を設けても良い。
【００２４】
尚、本発明の趣旨を逸脱しない範囲において、種々の実施形態をとることができることは言うまでもない。
【産業上の利用可能性】
【００２５】
本発明のハケは、合成樹脂モノフィラメントからなる毛材を有し、洗浄、清掃、液体の塗布等に使用する。
【図面の簡単な説明】
【００２６】
【図１】本発明のハケの一例を示す正面図
【図２】本発明の第一の実施形態の毛材を示す説明図
【図３】本発明の第二の実施形態の毛材を示す説明図
【図４】本発明の第三の実施形態の毛材を示す説明図
【図５】本発明の第四の実施形態の毛材を示す説明図
【符号の説明】
【００２７】
１  毛材
２、２ａ  凹部
３、３ａ  凸部
１０  ハケ
１１  ハケ部
１２  取っ手部
１３  接合部    
【図１】
2008104566.tif 000003
【図２】
2008104566.tif 000004
【図３】
2008104566.tif 000005
【図４】
2008104566.tif 000006
【図５】
2008104566.tif 000007